(57)【要約】【課題】  使用時の触感を向上すると共に保温効果が高いひざ掛けを提供する。【解決手段】  ひざ掛け１１はポリプロピレン（ＰＰ）不織布１３の外面側の面に形成された蒸着アルミニウム１４よりなる基材層１６を中心に構成されている。基材層１６の外面側には第１接着剤１８を介して第１フリース層２３が貼り付けられている。一方、基材層１６の内面側には第２接着剤２５を介して第２フリース層３０が貼り付けられている。不織布１３には遠赤外線を発生する特殊炭素やアルカリカンラン石粉末等が含侵されている。発生した遠赤外線は、内面側に放射されると共に外面側に放射された遠赤外線は蒸着アルミニウム１４の面で反射され内面側に向かう。したがって、ひざ掛け１１の内面側を使用者側にして使用すると、遠赤外線が集中的に使用者に向かうことになる。これによって、細胞が刺激されると共に血行促進が図られ、美肌効果や温熱効果が期待できる。【選択図】      図２
2009057644.tif 000002
【特許請求の範囲】
【請求項１】
ひざ掛けであって、
布地を含む基材層と、
前記基材層の一方面に接着された第１フリース層と、
前記基材層の他方面に接着された第２フリース層とを備えた、ひざ掛け。
【請求項２】
前記基材層は、
前記布地を構成する合成樹脂よりなる不織布と、
前記不織布の一方面であって前記第１フリース層側に形成された蒸着アルミニウムとからなる、請求項１記載のひざ掛け。
【請求項３】
前記不織布は、遠赤外線を発生する、請求項２記載のひざ掛け。
【請求項４】
平面視において逆等脚台形形状を有する、請求項１から請求項３のいずれかに記載のひざ掛け。
【発明の詳細な説明】
【技術分野】
【０００１】
この発明はひざ掛けに関し、特に冬季や夏季の冷房時等に体を温めるために使用されるひざ掛けに関するものである。
【背景技術】
【０００２】
従来のひざ掛けは、綿、ポリエステル、アクリル、レーヨン、ウール、シルク等の素材のシートを単体で使用したり、あるいはこれらの混紡材を用いたり、これらを張り合わせて使用したりするものである。
【０００３】
又、特許文献１に示すように、アルミ蒸着フィルムをフリースに張り合わせた構成のひざ掛け等に用いられる断熱シートが提案されている。これによれば、断熱性能及び触感が向上するとされている。
【０００４】
更に、特許文献２に示すように、不織布等の基材に金属や酸化物をドライメッキで密着させたひざ掛けが提案されている。これによれば、蓄熱効果があるため薄手の生地でも十分保温効果を発揮するとされている。
【特許文献１】特開２００３−１６５１７１号号公報
【特許文献２】実用新案登録第３０７７７０７号公報
【発明の開示】
【発明が解決しようとする課題】
【０００５】
上記のような従来のひざ掛けにあっては、使用者の側にフリース層や織物、編物等の基材が接するように使用すれば、外方側にフィルム層や金属メッキ層が露出するため寒冷感のある外観となってしまう。又、フィルム層や金属メッキ層が剥がれる虞もある。一方、使用者の側にフィルム層や金属メッキ層が接するように使用すると、外方側がフリース層や織物、編物等の柔らかな基材となるので温暖感のある外観となるが、使用者にとっては触感が良いとは言えない。又、ひざ掛け全体の保温性としては重量の割には保温効果が高いとは言えない。
【０００６】
この発明は、上記のような課題を解決するためになされたもので、使用時の温暖感を常に確保しつつ触感を向上すると共に保温効果が高いひざ掛けを提供することを目的とする。
【課題を解決するための手段】
【０００７】
上記の目的を達成するために、請求項１記載の発明は、ひざ掛けであって、布地を含む基材層と、基材層の一方面に接着された第１フリース層と、基材層の他方面に接着された第２フリース層とを備えたものである。
【０００８】
このように構成すると、基材層を介してひざ掛けの両面がフリース層となる。
【０００９】
請求項２記載の発明は、請求項１記載の発明の構成において、基材層は、布地を構成する合成樹脂よりなる不織布と、不織布の一方面であって第１フリース層側に形成された蒸着アルミニウムとからなるものである。
【００１０】
このように構成すると、使用時に両フリース層のいずれかで発生した熱は蒸着アルミニウムの面で反射される。
【００１１】
請求項３記載の発明は、請求項２記載の発明の構成において、不織布は、遠赤外線を発生するものである。
【００１２】
このように構成すると、発生した遠赤外線は、第２フリース層側に放出されると共に第１フリース層側に放出された遠赤外線は蒸着アルミニウムの面で反射される。
【００１３】
請求項４記載の発明は、請求項１から請求項３のいずれかに記載の発明の構成において、平面視において逆等脚台形形状を有するものである。
【００１４】
このように構成すると、使用時に足先より腰周りの幅が広くなる。
【発明の効果】
【００１５】
以上説明したように、請求項１記載の発明は、基材層を介してひざ掛けの両面がフリース層となるので、使用時の温暖感を確保しつつ触感が向上すると共に保温効果が向上する。
【００１６】
請求項２記載の発明は、請求項１記載の発明の効果に加えて、使用時に両フリース層のいずれかで発生した熱は蒸着アルミニウムの面で反射されるので、使用者が発した熱は使用者側のフリース層で保持され、保温効果がより向上する。
【００１７】
請求項３記載の発明は、請求項２記載の発明の効果に加えて、発生した遠赤外線は、第２フリース層側に放出されると共に第１フリース層側に放出された遠赤外線は蒸着アルミニウムの面で反射される。従って、第２フリース層を使用者側に使用すると、使用者の血行促進が図られ温熱効果等も発揮される。又、このように使用すると使用者が発した熱の保持が第２フリース側でなされるため、保温効果が更に向上する。
【００１８】
請求項４記載の発明は、請求項１から請求項３のいずれかに記載の発明の効果に加えて、使用時に足先より腰周りの幅が広くなるので足首まですっきりとして覆うことができるため使い勝手が向上する。
【発明を実施するための最良の形態】
【００１９】
図１はこの発明の第１の実施の形態によるひざ掛けの外観形状を示した平面図である。
【００２０】
図を参照して、ひざ掛け１１はシート状に形成され、平面視において逆等脚台形形状を有している。下底の寸法Ａは１４５ｃｍ、上底の寸法Ｂは９０ｃｍ、高さの寸法Ｈは９０ｃｍであり、その厚さは約５ｍｍに設定されている。尚、逆等脚台形形状のシート形状による特徴については後述する。
【００２１】
図２は図１で示したＩＩ−ＩＩラインの拡大断面図である。
【００２２】
図を参照して、ひざ掛け１１はポリプロピレン（ＰＰ）不織布１３と、その外面側の面に形成された蒸着アルミニウム１４とからなる基材層１６を中心に構成されている。基材層１６の外面側には第１接着剤１８を介して第１フリース層２３が貼り付けられている。第１フリース層２３は第１布地部２１と、第１布地部２１の外面側を起毛させた第１フリース加工部２０とから構成されている。
【００２３】
一方、基材層１６の内面側には第２接着剤２５を介して第２フリース層３０が貼り付けられている。第２フリース層３０は第２布地部２８と、第２布地部２８の内面側を起毛させた第２フリース加工部２７とから構成されている。
【００２４】
不織布１３には、遠赤外線を発生する特殊炭素やアルカリカンラン石粉末等が含侵されている。例えば、不織布１３として、出光ユニテック製の商品名「ストラフレスコ」を用いることができる。発生した遠赤外線は、内面側に放射されると共に外面側に放射された遠赤外線は蒸着アルミニウム１４の面で反射され内面側に向かう。したがって、ひざ掛け１１の内面側を使用者側にして使用すると、遠赤外線が集中的に使用者に向かうことになる。これによって、使用者の細胞が刺激されると共に血行促進が図られ、美肌効果や温熱効果が期待できる。
【００２５】
又、使用者の体温の内面側からの放出が蒸着アルミニウム１４で阻止され、その熱が第２フリース層３０で保持されるため遠赤外線効果と相俟って保温効果がより向上する。更に、ひざ掛け１１の両外面は第１フリース層２３及び第２フリース層３０で覆われているため、触感が向上すると共にひざ掛け１１全体の保温効果をより高める。
【００２６】
尚、フリース層２３，３０の各々の厚みは０．５〜１０ｍｍが好ましく、２〜５ｍｍがより好ましい。又、不織布１３の厚みは０．１〜１０ｍｍが好ましく、０．３〜２ｍｍがより好ましい。フリース層と不織布とは薄すぎると保温効果が少なく、厚すぎると重くなり使い勝手が低下する。
【００２７】
又、蒸着アルミニウム１４の厚みは１０〜５００ｎｍが好ましく、３０〜２００ｎｍがより好ましい。蒸着アルミニウムは薄すぎると熱の反射効率が低く、厚すぎるとコスト的に不利となる。
【００２８】
次に、この実施の形態によるひざ掛けの使用状態について説明する。
【００２９】
図３は図１で示したひざ掛けの使用状態を示した概略斜視図である。
【００３０】
図を参照して、使用に際しては、図１に示したひざ掛け１１の上部の幅広の部分を腰側に下部の幅狭の部分を足首側にして使用者３３の体に巻きつける。そして、必要に応じて上部の一部を折り返す。これによって、従来の矩形シート形状のひざ掛けに比べて使用者３３の足首まですっきりとして覆うことができるので、使用勝手が向上すると共に保温効果がより向上する。
【００３１】
尚、上記の実施の形態では、ＰＰ不織布を基材層の布地として使用しているが、布地としては他の不織布でも良く、あるいは織布であっても良い。
【００３２】
又、上記の実施の形態では、不織布に蒸着アルミニウムを形成しているが、蒸着アルミニウムは無くても良い。
【００３３】
更に、上記の実施の形態では、不織布は遠赤外線を発生してるが、遠赤外線を発生しない不織布を用いても良い。
【００３４】
更に、上記の実施の形態では、ひざ掛けは平面視において逆等脚台形形状を有しているが、単に矩形シート形状を有したものであっても良い。
【図面の簡単な説明】
【００３５】
【図１】図１はこの発明の第１の実施の形態によるひざ掛けの外観形状を示した平面図である。
【図２】図２は図１で示したＩＩ−ＩＩラインの拡大断面図である。
【図３】図３は図１で示したひざ掛けの使用状態を示した概略斜視図である。
【符号の説明】
【００３６】
１１…ひざ掛け
１３…不織布
１４…蒸着アルミニウム
１６…基材層
２３…第１フリース層
３０…第２フリース層
尚、各図中同一符号は同一又は相当部分を示す。
【図１】
2009057644.tif 000003
【図２】
2009057644.tif 000004
【図３】
2009057644.tif 000005